(57)【要約】エレベータのカウンターウエイト（２４、３４）が、カウンターウエイトとともに昇降路（２６）内を移動するように支持された緩衝部材（４０）を含む。緩衝部材（４０）は、カウンターウエイトの構造体（４２）の外側境界内にある第１の部分（５２）を含む。緩衝部材（４０）の第２の部分（５４）は外側境界の外部にある。開示された実施例では、複数の充填材がフレームに支持され、第１の充填材（６０）は第１の幅寸法を有し、少なくとも１つの第２の充填材（６２）はより小さい幅寸法を有する。第２の充填材（６２）は緩衝部材（４０）の第１の部分（５２）に沿って配置することができる。
2009511391.tif 000002
【特許請求の範囲】
【請求項１】
カウンターウエイトの外側境界を画定する構造体と、
第１の部分が前記外側境界内に位置し、かつ前記構造体とともに移動するように支持された緩衝部材と、を有することを特徴とする、エレベータシステムに用いられるカウンターウエイト。
【請求項２】
緩衝部材が前記外側境界の外部に位置する第２の部分を有することを特徴とする、請求項１記載のカウンターウエイト。
【請求項３】
第２の部分は、前記外側境界と第２の部分の末端部との間の距離が変動するように第１の部分に対して移動可能であることを特徴とする、請求項２記載のカウンターウエイト。
【請求項４】
第１の部分が前記構造体に対して固定された位置に保たれることを特徴とする、請求項１記載のカウンターウエイト
【請求項５】
前記構造体がフレームを有し、かつフレームに支持された複数の充填材を含むことを特徴とする、請求項１記載のカウンターウエイト。
【請求項６】
少なくとも第１の充填材はフレームの幅寸法に相当する第１の寸法を有し、少なくとも第２の充填材は比較的小さい第２の寸法を有し、この第２の寸法はフレームの幅寸法と緩衝部材の第１の部分の幅寸法との間の差に相当することを特徴とする、請求項５記載のカウンターウエイト。
【請求項７】
第２の充填材が横方向で第１の部分の側部に位置することを特徴とする、請求項６記載のカウンターウエイト。
【請求項８】
第１の部分の両側にそれぞれ第２の充填材を含むことを特徴とする、請求項７記載のカウンターウエイト。
【請求項９】
複数の緩衝部材を含み、かつ第２の充填材が緩衝部材のそれぞれの第１の部分の間に位置することを特徴とする、請求項６記載のカウンターウエイト。
【請求項１０】
複数の第１の充填材と複数の第２の充填材とを含むことを特徴とする、請求項６記載のカウンターウエイト。
【請求項１１】
充填材がプレートを含むことを特徴とする、請求項５記載のカウンターウエイト。
【請求項１２】
昇降路内の第１のエレベータかごと、
外側境界を画定する構造体を有する昇降路内の第１のカウンターウエイトと、
第１のエレベータかごを第１のカウンターウエイトに連結する第１の耐荷重部材と、
昇降路内で第１のエレベータかごの下方にある第２のエレベータかごと、
昇降路内で第１のカウンターウエイトの上方にあり、外側境界を画定する構造体を有する第２のカウンターウエイトと、
第２のエレベータかごを第２のカウンターウエイトに連結する第２の耐荷重部材と、
第１または第２のカウンターウエイトのうちの１つに関連し、関連するカウンターウエイトの外側境界内に支持された第１の部分を含む少なくとも１つの緩衝部材と、を有することを特徴とする、エレベータシステム。
【請求項１３】
緩衝部材は、対応するカウンターウエイトの外側境界の外部に、他方のカウンターウエイトに向かう方向に第２の部分を有し、該第２の部分が、カウンターウエイト同士が互いに接触する以前に他方のカウンターウエイトと接触することを特徴とする、請求項１２記載のエレベータシステム。
【請求項１４】
第２の部分は、関連するカウンターウエイトの構造体に他方のカウンターウエイトが接触するのを防止することを特徴とする、請求項１３記載のエレベータシステム。
【請求項１５】
関連するカウンターウエイトの構造体がフレームを有し、かつフレームに支持された複数の充填材を含むことを特徴とする、請求項１２記載のエレベータシステム。
【請求項１６】
少なくとも第１の充填材はフレームの幅寸法に相当する第１の寸法を有し、少なくとも第２の充填材は比較的小さい第２の寸法を有し、この第２の寸法はフレームの幅寸法と緩衝部材の第１の部分の幅寸法との間の差に相当することを特徴とする、請求項１５記載のエレベータシステム。
【請求項１７】
第２の充填材は、横方向で第１の部分の側部に位置することを特徴とする、請求項１６記載のエレベータシステム。
【請求項１８】
第１の部分の両側にそれぞれ第２の充填材を含むことを特徴とする、請求項１７記載のエレベータシステム。
【請求項１９】
複数の緩衝部材を含み、かつ第２の充填材が緩衝部材のそれぞれの第１の部分の間に位置することを特徴とする、請求項１６記載のエレベータシステム。
【請求項２０】
複数の第１の充填材と、複数の第２の充填材とを含むことを特徴とする、請求項１６記載のエレベータシステム。
【発明の詳細な説明】
【技術分野】
【０００１】
本発明は一般にエレベータシステムに関する。特に、本発明はエレベータシステムに用いられるカウンターウエイトおよび緩衝器の構成に関する。
【背景技術】
【０００２】
多くのエレベータシステムは、ロープまたは、ベルトなどのその他の耐荷重部材で互いに連結されたかごおよびカウンターウエイトを含む。巻上機がかごの移動を制御し、例えばビルディング内の各階の間で乗客に対応する。知られているように、カウンターウエイトとかごとは通常、昇降路内で反対方向に移動する。
【０００３】
単一の昇降路内に複数のエレベータかごを含むことが提案されている。このような構成は、例えば乗客に対応する運行が増加または改善されるという利点を提供する。米国特許第１，８９６，７７６号は昇降路内に複数のかごを有するエレベータシステムに関する特許の１例である。
【発明の開示】
【発明が解決しようとする課題】
【０００４】
昇降路内に複数のかごを具備するときは、様々な課題が生じる。例えば、構成部品の数が増加することによって、異なる形式の安全装置の必要性が生じる。米国特許第１，８９６，７７６号は、例えば、カウンターウエイトまたはかごの間の衝撃を吸収するために、カウンターウエイトおよびかごにそれぞれ緩衝器をつけることを提示している。このような構成の難点の１つは、緩衝器がカウンターウエイト、かご、またはその両方の、外形寸法を増加させることである。これは貴重な追加の昇降路スペースを占める。さらに、この特許に示される緩衝器の位置は、例えばエレベータかごを隣接する階に配置することを妨げる。
【０００５】
緩衝器機能を費用効率およびスペース効率の良い方法で提供するような構成が求められている。本発明はこの要求に対応するものである。
【課題を解決するための手段】
【０００６】
エレベータシステムに用いられる例示的なカウンターウエイトは、カウンターウエイトの外側境界を画定する構造体を含む。緩衝部材は外側境界内に第１の部分を有する。
【０００７】
１つの実施例では、緩衝部材は外側境界の外部にある第２の部分を有し、この部分は他のカウンターウエイトとの接触に関連するエネルギーを吸収するために、第１の部分に対して移動可能である。
【０００８】
１つの実施例では、構造体はフレームを有し、カウンターウエイトはフレームに支持された複数の充填材を含む。充填材の一部は、緩衝部材の第１の部分の側部に沿って納まるような寸法を有する。これによって、フレームの全幅寸法にわたって伸びる充填材によるものに較べて、より小型のカウンターウエイト設計が可能になる。１つの実施例では、このような大型の充填材が、小型の充填材と組み合わせて用いられる。
【０００９】
本発明の様々な特徴および利点は、以下における現在において好ましい実施例の詳細な説明によって、当業者に明らかとなろう。詳細な説明に付属する図面の簡単な説明は以下の通りである。
【発明を実施するための最良の形態】
【００１０】
図１はエレベータシステム２０の選択された部分を概略的に示す。第１のエレベータかご２２が第１のカウンターウエイトと連結されて、昇降路２６内を移動する。図１に図示されていないが、第１のエレベータかご２２は第１のカウンターウエイト２４に、複数のロープまたはベルトによって公知のように連結されている。第２のエレベータかご３２が第１のエレベータかご２２の下方に（図面によれば）位置している。第２のエレベータかご３２は第２のカウンターウエイト３４に、耐荷重部材（図示せず）によって結合され、両者が公知のように昇降路２６内を移動する。
【００１１】
この実施例では、カウンターウエイト２４および３４が共通のガイドレール３６に沿って走行する。言い換えれば、カウンターウエイト２４および３４が同じガイドレール３６を共有している。
【００１２】
図１に概略的に示されている実施例のシステム２０の他の特徴は、少なくとも１つの緩衝部材４０が、カウンターウエイトが互いに接触することに関連する衝撃を吸収するために、カウンターウエイト２４または３４のうち少なくとも１つに支持されていることである。
【００１３】
図２は緩衝部材４０を有するカウンターウエイト２４の１つの実施例を概略的に示しており、緩衝部材４０がカウンターウエイトに支持されて、カウンターウエイトとともに昇降路２６内を移動する。この実施例では、カウンターウエイト２４がカウンターウエイトの外側境界を画定する構造体４２を有する。この実施例では、構造体４２が一般に知られている方法で作られたフレームを有する。構造体４２によって画定される外側境界は高さ寸法Ｈおよび幅寸法Ｗを含む。
【００１４】
図示された実施例は、外側境界の外部にあるガイド支持体４４を含む。もちろん、ガイド支持体４４は、カウンターウエイトの構成によっては外側境界内にあってもよい。ガイド支持体は公知の方法で、ガイドレール３６に沿うカウンターウエイトの移動を助けるように作動する。
【００１５】
図２の実施例では、緩衝部材４０がカウンターウエイトの構造体４２の外側境界内にある第１の部分５２を有する。第２の部分５４が外側境界の外部にある。この実施例では、緩衝部材４０の末端部５６が、カウンターウエイトの構造体が互いに接触する以前に他のカウンターウエイト（すなわちカウンターウエイト３４）に接触するように構成されている。この実施例では、緩衝部材４０は協働するシリンダーを有し、これらは公知の方法（すなわち液圧）で作動して、カウンターウエイトが互いに接触するほど接近したときにエネルギー吸収機能を提供する。
【００１６】
図２の実施例では、フレーム４２が複数の充填材６０を支持する。１つの実施例では充填材は公知のようにプレートからなる。充填材６０は構造体４２の幅Ｗに相当する横方向の寸法を有する。この説明に用いられる「横方向」という用語は、図面に示される幅Ｗの方向を意味する。もちろん、フレーム部材の寸法および充填材６０の寸法は、カウンターウエイト２４の外側境界内に納まる。
【００１７】
図２の実施例はまた複数の第２の充填部材６２を含み、これらは第２の、より小さい横方向の寸法を有する。この実施例では、横方向で緩衝部材４０の第１の部分５２の両側に１セットずつ、都合２セットの第２の充填部材６２が具備されている。したがって充填部材６２は、構造体４２の幅と緩衝部材４０の第１の部分５２の幅との間の差に相当する寸法を有する。
【００１８】
図３は２つの緩衝部材４０を含む他の実施例を示している。図２および図３の実施例の間の１つの相違は、後者が緩衝部材４０の間に位置する１セットの第２の充填材６２を含むことである。
【００１９】
図２および図３の実施例のいずれにおいても、より小さい第２の充填材６２によりカウンターウエイトの高さを増加することなく、所望のカウンターウエイト質量を実現することができる。言い換えれば、緩衝部材４０の第１の部分５２が占める外側境界内の高さ方向のスペースにも、比較的小さい充填材を設けることができる。
【００２０】
プレート型の充填材が示されているが、コンクリートおよびその他の公知の要素のような、他の充填材もまた可能である。
【００２１】
図示された実施例では緩衝部材４０がカウンターウエイト２４上に示されているが、昇降路２６内でカウンターウエイト２４に対向して設けられる限り、緩衝部材はカウンターウエイト３４上にも具備されてよい。付け加えれば、両方のカウンターウエイトが少なくとも１つの緩衝部材を含んでよい。１つまたは複数の緩衝部材の構成および配置は、選択されたローピング方式に部分的に依存する。この説明を読んだ当業者は、その特定の要求に合致する適切な方式を選択することができよう。
【００２２】
上記の説明は制限的ではなく例示的な性格のものである。本発明の主旨から必ずしも逸脱しない、開示された実施例に対する変形および改良が、当業者にとって明らかとなろう。本発明に与えられる法的保護の範囲は、以下の請求項を検討することによってのみ判定可能である。
【図面の簡単な説明】
【００２３】
【図１】図１はカウンターウエイトとともに移動するように支持された緩衝器を有するカウンターウエイトを含むエレベータシステムの、選択された部分の概略図である。
【図２】図２はカウンターウエイトの一実施例の概略図である。
【図３】図３はカウンターウエイトの他の実施例の概略図である。
【図１】
2009511391.tif 000003
【図２】
2009511391.tif 000004
【図３】
2009511391.tif 000005
【国際調査報告】
2009511391.tif 000006
2009511391.tif 000007